(57)【特許請求の範囲】
【請求項１】
機器本体の内部に機器側接合部材を設けると共に、前記機器本体に保持部材嵌合孔部を設け、
複数本のリード線のそれぞれの少なくとも一端部に前記機器側接合部材に着脱可能に接続されるリード線側接合部材を接続し、前記リード線に、前記保持部材嵌合孔部に係脱可能に嵌合係止される保持部材を装着して接続線を構成し、
前記リード線側接合部材を前記保持部材嵌合孔部に挿入して、前記保持部材嵌合孔部に前記接続線を挿通すると共に、前記リード線側接合部材を前記機器側接合部材に着脱可能に接続し、前記保持部材を前記保持部材嵌合孔部に嵌合係止することにより前記接続線を前記機器本体に固定して引き出すようにしており、
前記保持部材が、前記保持部材嵌合孔部に係脱可能に嵌合係止される部材本体を有し、前記部材本体に、前記接続線の前記リード線の表裏を交互に押えて前記リード線を蛇行状態にして保持するリード線保持手段を設けた構成となり、
さらに、前記リード線保持手段が、前記部材本体に一方の外側リード線押え部を設けると共に、前記部材本体に前記外側リード線押え部を挟んで長さの異なる２本の保持部を突設し、寸法の長い前記一方の保持部の先側に他方の外側リード線押え部を設け、前記他方の保持部と前記外側リード線押え部の先部との間にリード線挿入用開口部を形成し、前記一方の保持部の中間部に内側リード線押え部を設けた構成であり、
前記接続線の前記リード線部分を前記リード線挿入用開口部から前記一方の外側リード線押え部と前記内側リード線押え部との間及び前記内側リード線押え部と前記他方の外側リード線押え部との間に挿入して前記保持部材を前記接続線に装着するようにしたことを特徴とする電子機器のリード線引出し装置。
【請求項２】
前記一方の外側リード線押え部に前記リード線のそれぞれが嵌まる凹部を設けた請求項１に記載の電子機器のリード線引出し装置。
【発明の詳細な説明】
【０００１】
【発明の属する技術分野】
本発明は、例えば、制御機器などの電子機器を他の電子機器に接続するリード線の引出し装置に関するものである。
【０００２】
【従来の技術】
従来の制御機器などの電子機器を他の電子機器に接続する場合、図６に示すように互いに平行に並べた複数本のリード線３１のそれぞれの一端部に一方の雌側コネクタ３２を、リード線３１のそれぞれの他端部に他方の雌側コネクタ３３をそれぞれ接続した接続線３４を用いており、そして、図７、図８に示すように、この接続線３４の一方の雌側コネクタ３２を一方の電子機器Ａ−１の端子台３９に設けた雄側コネクタ３６に接続し、接続線３４の他方の雌側コネクタ３３を他方の電子機器Ｂ−１の端子台４０に設けた雄側コネクタ３８に接続して、一方及び他方の電子機器Ａ−１、Ｂ−１を互いに接続していた。
【０００３】
【発明が解決しようとする課題】
しかしながら、上記した電子機器Ａ−１、Ｂ−１間の接続にあっては、接続線３４に外力が作用した場合、一方及び他方の雄側コネクタ３６、３８の端子部でのリード線３１の破損やコネクタ抜けが生じるという問題点があった。
【０００４】
本発明は、上記の問題点に着目して成されたものであって、その目的とするところは、接続線のリード線に外力が作用した場合、この外力によるリード線側接合部材と機器側接合部材の端子部でのリード線の破損や接合部材抜けが防止できる電子機器のリード線引出し装置を提供することにある。
【０００５】
【課題を解決するための手段】
上記の目的を達成するために、本発明に係る電子機器のリード線引出し装置は、機器本体の内部に機器側接合部材を設けると共に、機器本体に保持部材嵌合孔部を設け、複数本のリード線のそれぞれの少なくとも一端部に機器側接合部材に着脱可能に接続されるリード線側接合部材を接続し、リード線に、保持部材嵌合孔部に係脱可能に嵌合係止される保持部材を装着して接続線を構成し、リード線側接合部材を保持部材嵌合孔部に挿入して、保持部材嵌合孔部に接続線を挿通すると共に、リード線側接合部材を機器側接合部材に着脱可能に接続し、保持部材を保持部材嵌合孔部に嵌合係止することにより接続線を機器本体に固定して引き出すようにしており、保持部材が、保持部材嵌合孔部に係脱可能に嵌合係止される部材本体を有し、部材本体に、接続線の前記リード線の表裏を交互に押えてリード線を蛇行状態にして保持するリード線保持手段を設けた構成となり、さらに、リード線保持手段が、部材本体に一方の外側リード線押え部を設けると共に、部材本体に外側リード線押え部を挟んで長さの異なる２本の保持部を突設し、寸法の長い一方の保持部の先側に他方の外側リード線押え部を設け、他方の保持部と外側リード線押え部の先部との間にリード線挿入用開口部を形成し、一方の保持部の中間部に内側リード線押え部を設けた構成であり、接続線の前記リード線部分を前記リード線挿入用開口部から前記一方の外側リード線押え部と内側リード線押え部との間及び内側リード線押え部と他方の外側リード線押え部との間に挿入して保持部材を前記接続線に装着するようにしたものである。
【０００６】
そして、一方の外側リード線押え部にリード線のそれぞれが嵌る凹部を設けてもよい。
【０００８】
かかる構成により、接続線のリード線に外力が作用した場合、この外力は保持部材を介して機器本体に加わり、機器側接合部材とリード線側接合部材とには作用しなくなるために、リード線側接合部材と機器側接合部材の端子部でのリード線の破損や接合部材抜けが防止できる。
【００１２】
また、かかる構成により、接続線のリード線に外力が作用した場合、この外力は保持部材を介して機器本体に加わり、リード線側接合部材と機器側接合部材とには作用しなくなるために、リード線側接合部材と機器側接合部材の端子部でのリード線の破損や接合部材抜けが防止できるばかりか、リード線に引張り力が加わった場合、外側リード線押え部と内側リード線押え部とが弾性変形してリード線を締め付ける力が働き、リード線の固定を確実にすることができる。
【００１３】
しかも、接続線のリード線部分をリード線挿入用開口部から一方の外側リード線押え部と内側リード線押え部との間及び内側リード線押え部と他方の外側リード線押え部との間に挿入して保持部材を接続線に装着することができるために、接続線が、リード線の両端部にリード線側接合部材が取付けてあっても、接続線を保持部材に取付けることができる。
【００１４】
【発明の実施の形態】
以下、本発明の実施の形態を図面に基づいて説明する。
【００１５】
図１は本発明に係るリード線引出し装置を備えた電子機器の分解状態の斜視図、図２は同リード線引出し装置における接続線の斜視図、図３の（１）、（２）は同接続線の機器本体への接続の説明図、図４は保持部材の裏側からの斜視図、図５は保持部材の表側からの斜視図である。
【００１６】
電子機器Ａは、端子台１と、外部ケース２とこの外部ケース２内に収納される内部収納機器部３とを備えている。そして、端子台１の嵌合部１Ａには係止突起部４が、また、外部ケース２には係止孔部５がそれぞれ設けてあって、端子台１の嵌合部１Ａを外部ケース２に嵌合して係止突起部４を係止孔部５に係脱可能に係合することにより端子台１が外部ケース２に着脱可能に装着される。そして、端子台１と外部ケース２とで機器本体Ａ−１が構成してある。
【００１７】
また、内部収納機器部３はプリント配線板６を有しており、このプリント配線板６には機器側接合部材である雄側コネクタ７が実装してある。
【００１８】
端子台１には、図３の（１）に示すようにその前面部に長方形状の保持部材嵌合孔部８が設けてあり、この保持部材嵌合孔部８の両端側面部には係止凹部９が設けてある。
【００１９】
保持部材１０は、図４及び図５に示すように正面視で長方形状の蓋状部１１を有しており、この蓋状部１１の短手方向の一方の側面部１１ａには複数の半円形状の凹部１２が連続して形成してある。また、蓋状部１１の裏面には、蓋状部１１に対して直角方向に一方の外側リード線押え部１３が突設してある。
【００２０】
また、蓋状部１１の裏面には、外側リード線押え部１３を挟んで２本の保持部１４、１５が突設してあり、一方の保持部１４は他方の保持部１５に比べて長くなっている。そして、保持部１４、１５の外面には係止突起部１９が突設してある。そして、蓋状部１１と保持部１４、１５と係止突起部１９とで部材本体１０Ａを構成している。
【００２１】
また、一方の保持部１４の先側には蓋状部１１に平行する杆状の他方の外側リード線押え部１６が設けてあり、他方の保持部１５と外側リード線押え部１６の先部との間にはリード線挿入用開口部１８が形成してある。
【００２２】
また、一方の保持部１４の中間部には杆状の内側リード線押え部１７が外側リード線押え部１６と平行に設けてある。そして、一方及び他方の外側リード線押え部１３、１６は同一平面内に位置しており、内側リード線押え部１７は外側押え杆部１３、１６が位置する平面より偏位している。そして、一方及び他方の外側リード線押え部１３、１６と内側リード線押え部１７とでリード線保持手段を構成している。
【００２３】
接続線２０は、互いに平行に並べた複数本のリード線２１を有しており、これらのリード線２１のそれぞれの一端部は一方のリード線側接合部材である一方の雌側コネクタ２２が、リード線２１のそれぞれの他端部は他方のリード線側接合部材である他方の雌側コネクタ２３がそれぞれ接続してある。
【００２４】
そして、接続線２０のリード線２１を折り曲げて、この折曲げ部分で保持部材１０のリード線挿入用開口部１８から一方の外側リード線押え部１３と内側リード線押え部１７との間及び内側リード線押え部１７と他方の外側リード線押え部１６との間に、リード線２１が内側リード線押え部１７を越えるようにして挿入し、リード線２１を直線上に引き伸ばすことによりリード線２１のそれぞれを蓋状部１１の凹部１２に挿入し、また、リード線２１を一方及び他方の外側リード線押え部１３、１６に当接させて、図２に示すように接続線２０に保持部材１０が取り付けてある。
【００２５】
そして、図３の（１）、（２）に示すように接続線２０の一方の雌側コネクタ２２を端子台１の保持部材嵌合孔部８に挿入して、接続線２０のリード線２１を挿通し、保持部材１０を保持部材嵌合孔部８に嵌合して係止突起部１９を係止凹部９に係脱可能に係合して、接続線２０を端子台１に固定する。この場合、蓋状部１１が保持部材嵌合孔部８を塞ぐようになる。
【００２６】
そして、接続線２０の一方の雌側コネクタ２２を内部収納機器部３の雄側コネクタ７に接続し、端子台１の嵌合部１Ａを外部ケース２に嵌合して係止突起部４を係止孔部５に係脱可能に係合することにより端子台１を外部ケース２に装着して接続線２０を一方の電子機器Ａに接続する。
【００２７】
そして、接続線２０の他方の雌側コネクタ２３を他方の電子機器の端子台に設けられた雄側コネクタ（いずれも図示せず）に接続することで一方及び他方の電子機器を互いに接続する。
【００２８】
したがって、接続線２０のリード線２１に外力が作用した場合、この外力は保持部材１０を介して機器本体Ａ−１に加わり、一方の雌側コネクタ２２と雄側コネクタ７とには作用しなくなるために、雌側コネクタ２２と雄側コネクタ７との端子部でのリード線２０の破損やコネクタ抜けが防止できる。
【００２９】
また、接続線２０に引張り力が加わった場合、外側リード線押え部１６と内側リード線押え部１７とが弾性変形してリード線２１を締め付ける力が働き、リード線２１の固定を確実にすることができる。
【００３０】
しかも、接続線２０のリード線２１部分をリード線挿入用開口部１８から一方の外側リード線押え部１３と内側リード線押え部１７との間及び内側リード線押え部１７と他方の外側リード線押え部１６との間に挿入して保持部材１０を接続線２０に装着することができるために、接続線２０が、リード線２１の両端部に一方及び他方の雌側コネクタ２２、２３が取付けてあっても、接続線２０を保持部材１０に取付けることができる。
【００３１】
【発明の効果】
以上説明したように、本発明に係る電子機器のリード線引出し装置によれば、接続線のリード線に外力が作用した場合、この外力は保持部材を介して機器本体に加わり、接続線が機器本体に接続された部分に作用しなくなるために、この接続部分のリード線の破損や、この接続部分に接合部材（例えば、コネクタ）を用いた場合には、この接合部材の抜けを防止することができる。
【００３２】
また、本発明に係る電子機器のリード線引出し装置によれば、接続線のリード線に外力が作用した場合、この外力は保持部材を介して機器本体に加わり、リード線側接合部材と機器側接合部材とには作用しなくなるために、リード線側接合部材と機器側接合部材の端子部でのリード線の破損や接合部材抜けが防止できるばかりか、リード線に引張り力が加わった場合、外側リード線押え部と内側リード線押え部とが弾性変形してリード線を締め付ける力が働き、リード線の固定を確実にすることができる。
【００３３】
しかも、接続線のリード線部分をリード線挿入用開口部から一方の外側リード線押え部と内側リード線押え部との間及び内側リード線押え部と他方の外側リード線押え部との間に挿入して保持部材を接続線に装着することができるために、接続線が、リード線の両端部にリード線側接合部材が取付けてあっても、接続線を保持部材に取付けることができる。
【図面の簡単な説明】
【図１】本発明に係るリード線引出し装置を備えた電子機器の分解状態の斜視図である。
【図２】同リード線引出し装置における接続線の斜視図である。
【図３】（１）、（２）は同接続線の機器本体への接続の説明図である。
【図４】保持部材の裏側からの斜視図である。
【図５】保持部材の表側からの斜視図である。
【図６】従来のリード線引出し装置における接続線の斜視図である。
【図７】従来の接続線を用いた電子機器と他の電子機器との接続状態の斜視図である。
【図８】（１）、（２）は同接続線の機器本体への接続の説明図である。
【符号の説明】
１      端子台
２      外部ケース
３      内部収納機器部
４      係止突起部
５      係止孔部
６      プリント配線板
７      雄側コネクタ（機器側接合部材）
８      保持部材嵌合孔部
９      係止凹部
１０    保持部材
１０Ａ    部材本体
１１    蓋状部
１２    凹部
１３    一方の外側リード線押え部（リード線保持手段）
１４    保持部
１５    保持部
１６    他方の外側リード線押え部（リード線保持手段）
１７    内側リード線押え部（リード線保持手段）
１８    リード線挿入用開口部
２０    接続線
２１    リード線
２２    一方の雌側コネクタ（リード線側接合部材）
２３    他方の雌側コネクタ（リード線側接合部材）
Ａ      電子機器
Ａ−１  機器本体
【図１】
0004042291.tif 000002
【図２】
0004042291.tif 000003
【図３】
0004042291.tif 000004
【図４】
0004042291.tif 000005
【図５】
0004042291.tif 000006
【図６】
0004042291.tif 000007
【図７】
0004042291.tif 000008
【図８】
0004042291.tif 000009